(57)【特許請求の範囲】
【請求項１】
左右の乳様突起上の皮膚に設置される第１電極と、前記左右の乳様突起の直下位置であって胸鎖乳突筋及び肩甲挙筋の皮膚方向に直上となる皮膚の位置に設置される第２電極と、左右それぞれで前記第１、第２電極間に、両極性の往復電流信号を印加する電流出力部とを備え、
前記往復電流信号は、一方極性で第１の時間幅を有する方形波状の刺激電流信号と、前記刺激電流信号の出力前に出力される、逆極性で第２の時間幅を有する方形波状の事前電流信号を含むものである前庭電気刺激装置。
【請求項２】
前記第１、第２電極を取り付けるヘッドセットを備え、
前記ヘッドセットは、左右対称の半円形状をなし、左右両側から頭部を押圧する弾性の頭部装着部と、前記頭部装着部の両端に取り付けられた環状の耳掛け部と、前記頭部装着部の左右から下方に延びる弾性のアームを備えたアーム対を有し、
前記第１電極は、前記耳掛け部の下部後方部に取り付けられ、前記第２電極は前記アームの各先端に取り付けられてなることを特徴とする請求項１に記載の前庭電気刺激装置。
【請求項３】
前記電流出力部は、前記事前電流信号と前記刺激電流信号とを連続して出力することを特徴とする請求項１又は２に記載の前庭電気刺激装置。
【請求項４】
前記第２の時間幅は、前記第１の時間幅と等しいか長いことを特徴とする請求項１〜３のいずれかに記載の前庭電気刺激装置。
【請求項５】
前記電流出力部は、前記刺激電流信号及び前記事前電流信号として、前記第１、第２電極間に予め設定された安全レベルの電流値を出力するものである請求項１〜４のいずれかに記載の前庭電気刺激装置。
【請求項６】
前記電流出力部は、左右方向への加速度感覚の提示用として前記左右の第１電極間に、方向に対応する極性で第３の時間幅を有する方形波状の刺激電流信号を出力するものである請求項１〜５のいずれかに記載の前庭電気刺激装置。
【請求項７】
請求項１〜６のいずれかに記載の前庭電気刺激装置と、モニタに表示される、少なくとも鉛直方向に移動する主キャラクタの画像の動きから、前記主キャラクタの画像の重力方向の仮想的な加速度を得る演算部とを備え、前記電流出力部は、前記演算部で得られた加速度に対応する往復電流信号を出力する仮想現実体感装置。
【請求項８】
請求項１〜６のいずれかに記載の前庭電気刺激装置と、モニタに表示される、少なくとも鉛直方向に移動する主キャラクタの画像に対して鉛直方向の動きを指示する操作部と、前記操作部の指示内容から前記主キャラクタの画像の重力方向の仮想的な加速度を得る演算部とを備え、前記電流出力部は、前記往復電流信号として前記演算部で得られた加速度に対応する信号を出力する仮想現実体感装置。
【発明の詳細な説明】
【技術分野】
【０００１】
本発明は、微弱電流を流して前庭を刺激することで擬似的な加速度感覚を人間に与える前庭電気刺激の技術に関する。
【背景技術】
【０００２】
頭部に電流を印加する前庭電気刺激（ＧＶＳ: Galvanic Vestibular Stimulation）は、加速度感覚を受容する器官である前庭を電流によって刺激することで、軽量安価な装置で加速度感覚提示や陽極側への身体動揺の誘発を可能にするものである。このことから、前庭系の異常を検査するための医療検査ツールや認知科学分野の研究に利用されている他、アミューズメントやシミュレーションにおいて、映像と同期した加速度感覚提示による臨場感の向上などに応用が期待されている技術である（非特許文献１，２，３）。
【０００３】
一般的に利用されるＧＶＳは、耳の後ろの乳様突起上に電極を設置して電流を印加することによって左右方向に加速度感覚提示が可能な２極のＧＶＳである（非特許文献１〜４）。
【０００４】
本発明者らは、ＧＶＳによってかかるバーチャルな加速度感覚の多自由度化を目指して、左右方向だけでなく、前後方向とヨー（Yaw）回転方向に加速度感覚を提示可能な４極ＧＶＳを提案した（非特許文献５，６）。この４極ＧＶＳでは、ＧＶＳの電流経路仮説に基づいた、頭部内の電流経路の４抵抗回路としてのモデル化と頭部に設置する電極の多電極化を行った。これらによって、前庭に流れ込む電流の方向を制御し、提示加速度感覚の多自由度化に成功した（非特許文献６，７）。この電流経路仮説とは、頭部に印加した電流が頭部内の電流経路を流れることによって前庭に流れる電流の向きが決まり、その電流の方向が提示されるバーチャルな加速度感覚の方向を決めることをいう。このように、本発明者らは、ＧＶＳによる多自由度な加速度感覚提示を実現してきたが、頭頂（上下）方向への加速度感覚提示は実現できていない。この方向の加速度感覚提示の実現は、前記した検査、研究に供し、またゲームなどへの応用時にさらに臨場感を高めると考えられる。
【０００５】
これまでの研究から、前庭に流れる電流の方向と提示される加速度感覚の方向とが一致しており、その時に陰極側から陽極側に向かっての身体動揺が誘発されることが示されている（非特許文献３，４，５，７）。よって、前庭に上下方向への電流を印加することで、上下方向への加速度感覚が提示可能であると考えられる（特許文献１）。
【先行技術文献】
【特許文献】
【０００６】
【特許文献１】特開２００８−１８８１２１号公報
【非特許文献】
【０００７】
【非特許文献１】Wardman, D. L. &Fitzpatrick, R. C.: What does galvanic vestibular stimulation stimulate?;Advances in Experimental Medicine and Biology Vol.508,119-128(2002)
【非特許文献２】Utza, K. S., Dimovaa, V., Oppenlander,K. & Kerkhoff, G. Electrified minds: Transcranial direct currentstimulation (tDCS) and Galvanic Vestibular Stimulation (GVS) as methods of non-invasivebrain stimulation in neuropsychology-A review of current data and futureimplications; Neuropsychlogia Vol.48, 2789-2810(2010)
【非特許文献３】安藤英由樹，渡辺淳司，杉本麻樹，前田太郎：前庭感覚インタフェース技術の理論と応用；情報処理学会論文誌，Vol.48, No3,1326-1335（2007）
【非特許文献４】Wardman, D. L., Day, B. L. &Fitzparick, R. C.: Position and velocity responses to galvanic vestibularstimulation in human subjects during standing; Journal of Physiology Vol.547, 293-299(2003)
【非特許文献５】前田太郎，安藤英由樹，雨宮智浩：加速度感提示のための前庭電気刺激における電流密度分布のモデル化;第１１回日本バーチャルリアリティ学会大会論文集，5-8（2006）
【非特許文献６】宮田祐樹，濱田和孝，加藤翼，北原悠樹，安藤英由樹，前田太郎: 4極前庭電気刺激における電流量と頭部姿勢との対応の実測; 第１３回日本バーチャルリアリティ学会大会論文集，234-237 (2008)
【非特許文献７】Kazuma Aoyama,Hiroyuki Iizuka, Hideyuki Ando and Taro Maeda: Four-pole galvanic vestibularstimulation causes body sway about three axes, Scientific Reports.5,10168; doi:10.1038/srep10168 (2015)
【非特許文献８】青山一真，橋本悠希，近藤大祐，米村朋子，飯塚博幸，安藤英由樹，前田太郎：多極前庭電気刺激に置ける動的な電流印加手法の影響;第１７回日本バーチャルリアリティ学会大会論文集，628-631 （2007）
【非特許文献９】青山一真，安藤英由樹，飯塚博幸，前田太郎：前庭電気刺激における逆不感電流を用いた加速度感覚の増強，日本バーチャルリアリティ学会論文誌，vol.19, No.3 315-318 (2014)
【非特許文献１０】Iikka Laakso & Akimasa Hirata:Computational analysis shows why transcranial alternating current stimulationinduces retinal phosphenes; Journal of Neural Engeering, Vol. 10, 046009(9pp),(2013)
【非特許文献１１】Myerson, M. C., Rubin, H. &Gilbert, J. G.: Anatomic studies of petrous portion of the temporal bone;Archives of Otolaryngology, Vol. 20, 195-210 (1934)
【非特許文献１２】Kazuma Aoyama, Hiroyuki Iizuka,Hideyuki Ando, Taro Maeda: Countercurrent Enhances Acceleration Sensation InGalvanic Vestibular Stimulation, International Conferenceon Artificialrealityand Telexistance, (2013)
【発明の開示】
【発明が解決しようとする課題】
【０００８】
前庭は、ＧＶＳによって惹起される加速度感覚と比べて非常に大きいと考えられる重力加速度の影響を受けているため、微弱な上下方向の加速度感覚は知覚できないと考えられる。ＧＶＳによる提示加速度の強度と刺激電流の電流値には正の相関があるため、大きな電流を前庭に流すことで上下方向への加速度感覚提示は可能であると考えられる（非特許文献３）。しかしながら、専門の医師を含む倫理審査の上で決定した安全ガイドラインにおいて、確実に安全であるとされる、安全レベルとしての電流値は最大で３mAであるとされている。さらに、本発明者らの予備実験から、加速度感覚を最も強力に提示可能である左右方向へのＧＶＳ提示において、３mAの直流電流を被験者に印加した時の被験者の体の傾きから、ＧＶＳによって提示される加速度感覚を試算すると、重力の約１／５程度であることが分かっている。よって、この電流値では上下方向に加速度感覚を提示できていたとしても、提示できる加速度感覚が微弱であるため、その検証は困難であると考えられる。
【０００９】
前記した安全レベルの電流値で強力な加速度感覚を生起させる刺激として、往復電流刺激がある。この刺激は電流印加を行う際に、前もって逆極性の電流を印加しておくことによる加速度感覚の増強が可能な刺激である（非特許文献８，９）。また、往復電流刺激の効果は、先行する逆電流区間の電流値とその印加時間の積と相関があることが示されている（非特許文献１２）。
本発明は、上記に鑑みてなされたもので、効果的な電極位置の設定と、往復電流刺激を用いた上下方向前庭電気刺激とによって、安全ガイドラインに沿った電流値内でも上下方向の加速度感覚の知覚を可能とする前庭電気刺激装置及び仮想現実体感装置を提供するものである。
【課題を解決するための手段】
【００１０】
本発明に係る前庭電気刺激装置は、左右の乳様突起上の皮膚に設置される第１電極と、前記左右の乳様突起の下方位置であって胸鎖乳突筋及び肩甲挙筋の皮膚方向に直上となる皮膚の位置に設置される第２電極と、左右それぞれで前記第１、第２電極間に、両極性の往復電流信号を印加する電流出力部とを備え、前記往復電流信号は、一方極性で第１の時間幅を有する方形波状の刺激電流信号と、前記刺激信号の出力前に出力される、逆極性で第２の時間幅を有する方形波状の事前電流信号を含むものである。
【００１１】
従来のＧＶＳ研究において、頭部内の電流経路についてはあまり議論されてこなかった。しかしながら、頭蓋骨の電気的特性を考えると、皮膚等の軟組織に比べて頭蓋は低周波電流に対するインピーダンスが非常に高いと考えられる（非特許文献５）。また先行研究において、経頭蓋交流刺激（tACS: transcranialAlternate Current Stimulation）等の経頭蓋電気刺激下の電流経路を有限要素解析した結果、頭蓋を貫通せず眼球などの軟組織を流れる電流が多いことが示されている（非特許文献１０）。これらの知見から、本発明者らは、眼窩と外耳道、内耳孔を電流経路とみなし、こめかみと乳様突起上に電極を設置することで、左右の前庭に独立に電流を印加することのできる４極ＧＶＳを開発し、左右方向、前後方向及びヨー（Yaw）回転方向への加速度感覚提示に成功した。これらの先行研究の知見から、ＧＶＳにおいて刺激電流はインピーダンスの高い頭蓋を貫通せず、頭蓋の穴を通って頭部内に流れるという電流経路が存在する可能性が高いと考えられる。そして、その頭部内の電流経路を流れる電流の方向と同じ方向に被験者は加速度感覚を知覚するという、経路仮説が有力であると考えられる。よって、上下方向への加速度感覚を誘発するためには、頭蓋骨の穴の位置を考慮した電極配置を行い、前庭に対して空間的に上下方向への電流を印加する必要があると考えられる。
【００１２】
これらのことを踏まえて、頭蓋骨の解剖学的な穴と前庭の位置関係について考える。前庭組織は頭蓋骨の側頭骨錐体尖の中にある。この側頭骨錐体尖周辺には複数の穴が開いている。側頭骨の外側には外耳道が開いている。側頭骨内側には内耳孔や前庭水管外孔などの穴があり、吻側（前側）には筋耳管管などの穴が開いている。このことから、すでに提示に成功している左右方向の加速度感覚提示おいては、外耳道、内耳孔などが電流経路となって、前庭に左右方向の電流が流れており、前後やYaw回転方向の加速度感覚提示においては、眼窩、筋耳管管、外耳道などの穴が電流経路を形成することで、前庭に前後方向の電流が流れていると考えられる。このことから、上下方向の加速度感覚提示のためには側頭骨錐体尖の頭側（以後、上または上側と表記する）と尾側（以後、下または下側と表記する）に穴があることが望ましい。側頭骨錐体尖の下側には茎乳突孔等の穴が存在し、頭蓋骨全体で見ても、下側には無数に穴が存在する。しかしながら、側頭骨錐体尖の上側には穴はなく、頭蓋骨全体としても外耳道と眼窩とを結ぶ線より上に穴はない（非特許文献１１）及び（図３参照（骨骨格系；http://www.anatomy.med.keio.ac.jp/funatoka/anatomy/osteologia/osteologia02.html））。
【００１３】
そこで、本発明では、設置される電極の位置を、図２（ｃ）に示すように、第１電極を乳様突起上とし、第２電極を乳様突起から約６cm（５〜７ｃｍ）直下乃至は下方の首の上とした。この首の位置は、胸鎖乳突筋及び肩甲挙筋の皮膚方向に直上となる皮膚の位置とほぼ対応している。これによって、刺激電流が頭蓋骨の下側から頭部内に流れ、側頭骨錐体尖の下側の穴である茎乳突孔などから前庭に流れ込み、外耳道や内耳孔から出ることで前庭に上下方向の成分を持った電流を流すことができるようにした。
【００１４】
すなわち、前庭感覚器のある側頭骨錐体尖は、頭皮から数ｃｍ程度内側にあることから、かかる電極配置にしても電極間をつなぐ直線上に前庭は存在しない。電極間に電流を流すと、電流の大部分は電極間の最短距離を通る。一方、この距離を離せば離すほど電流は空間的な広がりを持ち、頭部のより内側へ多くの電流が通る。逆に近づければ近づけるほど多くの電流が皮膚を流れることになる。すなわち、電流の広がりが大きくなり過ぎる(電極を離しすぎる)と電流の密度が小さくなり、前庭に流れる刺激量が減ってしまい、電極を近づけすぎると電流が皮膚を流れすぎて、同様に前庭に流れる電流が減ってしまうというトレードオフの関係にある。ところで、茎乳突孔内には、通電性を有するリンパ液、また顔面神経、頸動脈の一部が上下方向に亘って存在している。そこで、トレードオフの関係も考慮しつつ、第２電極の位置を乳様突起から約６cm（５〜７ｃｍ）直下乃至は下方の首の位置、すなわち胸鎖乳突筋及び肩甲挙筋の皮膚方向に直上となる皮膚の位置とした。第１、第２電極を前記のように配置しても、刺激電流の一部が前庭に流れる有効電流となるものの、残りの電流は頭皮を流れると考えられる。このため、前庭に影響を与える有効電流は小さいものとなり、そのままでは上下方向電流を印加しても微弱な加速度感覚しか提示できないと考えられる。
【００１５】
そこで、本発明では、上下方向電流によって強力な加速度感覚知覚を惹起させるために、往復電流刺激を利用する。先行研究によれば、あらかじめ逆極性の電流（事前電流信号）を被験者に印加することで、後続する電流（刺激電流信号）により惹起される加速度感覚と誘発される身体動揺を増大させることが可能である。往復電流刺激の効果は、先行する逆電流区間の電流値とその印加時間の積と相関があることが分かっている。従って、強力な上下方向の加速度感覚提示のためには、電流値及び逆電流印加時間を、安全の範囲内でそれぞれ可能な限り最大化させた往復電流刺激を印加すればよい。これによって、上下方向においても、左右方向、前後方向、Yaw方向と同様なレベルで加速度感覚の提示が可能となる。
【００１６】
また、前記第２電極は、前記乳様突起の５〜７ｃｍ直下位置に当たる皮膚に設置されることを特徴とする。直下位置とすることで、設置位置が分かりやすい。
【００１７】
また、前記第２電極は、前記乳様突起の６ｃｍ直下位置に当たる皮膚に設置されることを特徴とする。この構成とすれば、最大の加速度感覚提示が得られる。
【００１８】
また、前記第１、第２電極をヘッドセットに取り付けられる構成とすることで、電極の取付位置の再現性が高くなる。
【００１９】
また、前記電流出力部は、前記事前電流信号と前記刺激電流信号とを連続して出力することを特徴とする。両信号を連続して出力することで、刺激電流信号の印加開始時までの時間がより短縮化される。
【００２０】
また、前記第２の時間幅は、前記第１の時間幅と等しいか長いことを特徴とする。この構成によれば、加速度感覚の提示の増強が図れる。
【００２１】
また、前記電流出力部は、前記刺激電流信号及び前記事前電流信号として、前記第１、第２電極間に予め設定された安全レベルの電流値を出力するものである。この構成によれば、加速度感覚の提示が最大化される。
【００２２】
また、前記電流出力部は、左右方向への加速度感覚の提示用として前記左右の第１電極間に、方向に対応する極性で第３の時間幅を有する方形波状の刺激電流信号を出力するものである。この構成によれば、上下方向以外である左右方向に対しては方形波状の刺激電流信号のみで事前電流信号を印加しなくても済むので、その分、加速度感覚の提示が早くなる。
【００２３】
また、本発明に係る仮想現実体感装置は、請求項１〜８のいずれかに記載の前庭電気刺激装置と、モニタに表示される、少なくとも鉛直方向に移動する主キャラクタの画像の動きから、前記主キャラクタの画像の重力方向の仮想的な加速度を得る演算部とを備え、前記電流出力部は、前記演算部で得られた加速度に対応する往復電流信号を出力するものである。
【００２４】
また、本発明に係る仮想現実体感装置は、請求項１〜８のいずれかに記載の前庭電気刺激装置と、モニタに表示される、少なくとも鉛直方向に移動する主キャラクタの画像に対して鉛直方向の動きを指示する操作部と、前記操作部の指示内容から前記主キャラクタの画像の重力方向の仮想的な加速度を得る演算部とを備え、前記往復電流信号出力部は、前記演算部で得られた加速度に対応する往復電流信号を出力するものである。
【００２５】
これらの発明によれば、加速度要素のあるゲームやシミュレータ等の体感装置を簡易に提供することが可能となる。
【発明の効果】
【００２６】
本発明によれば、安全ガイドラインに沿った電流値内でも上下方向の加速度感覚を知覚することができる前庭電気刺激装置及び仮想現実体感装置を提供することができる。
【図面の簡単な説明】
【００２７】
【図１】前庭電気刺激装置の一例を示す構成図である。
【図２】電極および前庭電気刺激装置の電極装着部（ヘッドセット）の説明図で、（ａ）は正面図、（ｂ）は右側面図、（ｃ）はヘッドセット装着時の右側面図である。
【図３】側頭骨の穴の配置を説明する図である。
【図４】刺激電流信号の一例を示す波形図で、（ａ）は刺激電流信号、（ｂ）は往復電流信号（事前電流信号＋刺激電流信号）を示す図である。
【図５】加速度感覚の方向の選択率を説明する図表である。
【図６】立位姿勢、右傾き姿勢及び前傾き姿勢での上下加速度方向を示す図である。
【図７】上下定電流刺激時の各姿勢における身体動揺の変化の俯瞰図と時間変化（A:立位姿勢、B:右傾き姿勢、C :前傾き姿勢、D:左右方向の身体動揺の時間変化、E:前後方向の身体動揺の時間変化）を示す図表である。
【図８】上下往復電流刺激時の各姿勢における身体動揺の変化の俯瞰図と時間変化（A:立位姿勢、B:右傾き姿勢、C:前傾き姿勢、D:左右方向の身体動揺の時間変化、E:前後方向の身体動揺の時間変化）を示す図表である。
【図９】左右刺激時の各姿勢における身体動揺の変化の俯瞰図と時間変化（A:立位姿勢、B:右傾き姿勢、C:左右方向の身体動揺の時間変化、D:前後方向の身体動揺の時間変化）を示す図表である。
【図１０】前後刺激時の各姿勢における身体動揺の変化の俯瞰図と時間変化（A:立位姿勢、B:右傾き姿勢、C:左右方向の身体動揺の時間変化、D:前後方向の身体動揺の時間変化）を示す図表である。
【図１１】往復電流刺激と定電流刺激条件における各姿勢での頭部の移動量の絶対値の平均値を示す図表である。
【図１２】上下往復電流刺激時の各姿勢条件における頭部移動量の絶対最大値の平均値を示す図表である。
【図１３】左右刺激時の各姿勢条件における頭部移動量の絶対最大値の平均値を示す図表である。
【図１４】前後方向刺激条件下での姿勢条件に対する頭部位置変化の絶対最大値を示す図表である。
【図１５】各姿勢における刺激なし条件での身体動揺の俯瞰図と時間変化（A:俯瞰図、B:時間変化のパターン、C:絶対最大値の平均値)を示す図表である。
【図１６】前庭電気刺激装置の一適用例を示す仮想現実体感装置の構成図である。
【発明を実施するための形態】
【００２８】
図１は、前庭電気刺激装置１の一例を示す構成図で、設定部２、制御部３、回路部４及び電極２１，２２，２３を備えている。電極２１，２２，２３は、人体の左右対称位置に貼付（設置）するものである。
【００２９】
図２は、電極および前庭電気刺激装置の電極装着部（ヘッドセット）の説明図で、（ａ）は正面図、（ｂ）は右側面図、（ｃ）はヘッドセット装着時の右側面図である。電極２１，２２，２３はそれぞれ左右一対であり、図２に示す貼付位置に貼付される。電極２１は、電極２１Ｒ，２１Ｌで構成され、人体頭部Ｈｅの左右の乳様突起（図３参照）上の皮膚に貼られる。電極２２は、電極２２Ｒ，２２Ｌで構成され、左右の乳様突起（すなわち電極２１Ｒ，２１Ｌの貼付位置）の６cm直下位置、すなわち胸鎖乳突筋及び肩甲拳筋の皮膚方向に直上となる皮膚の位置である首Ｎｅ上の皮膚に貼られる。電極２３は、電極２３Ｒ，２３Ｌで構成され、人体頭部Ｈｅの左右のこめかみ位置の皮膚に貼られる。
【００３０】
図２（ｃ）は、ヘッドセット１０の一例を示す。ヘッドセット１０は、左右対称構造を有し、半円形状を有し、頭部Ｈｅを左右両側から押圧する弾性の頭部装着部１１、頭部装着部１１の両端に取り付けられた環状の耳掛け部１２、及び先端に電極が取り付けられた弾性を有するアーム１３，１４を備えている。電極２１は、耳掛け部１２の下部後方部が乳様突起上に対向することから、当該位置に取り受けられている。アーム１３は、その先端に取り付けられる電極２２が電極２１の６cm直下に位置の首Ｎｅ上にくるような長さ及び向きを有する。アーム１４は、その先端に取り付けられる電極２３が頭部Ｈｅのこめかみ上に位置する長さ及び向きを有する。各電極２１，２２，２３は、所定形状、例えば円形形状を有し、頭部Ｈｅ及び首Ｎｅに電極面が押圧するようになっている。
【００３１】
図１に戻り、設定部２は、外部から操作可能な構成を有し、刺激電流信号を印加する電極を選択し、また印加動作を指示するものである。制御部３は、回路部４の動作を制御するものである。回路部４は、刺激電流生成回路４１及び切替部４２を備えている。刺激電流生成回路４１は、例えば定電流出力回路を備え、所定レベルの電流値を出力するものである。所定レベルとしては、安全レベルである３mAである。切替部４２は、選択内容に対応して電流印加対象の電極間に刺激電流を出力するものである。なお、刺激電流生成回路４１が、各電極に対応して出力ラインを有している態様では、切替部４２は省略してもよい。
【００３２】
なお、左右の電極２１Ｒ，２１Ｌ間に電流を印加することで、左右方向の加速度感覚が提示される。電極２１Ｒと電極２３Ｒ間に、かつ電極２１Ｌと電極２３Ｌ間に同方向の電流を印加することで、前後方向の加速度感覚が提示される。電極２１Ｒと電極２３Ｒ間に、かつ電極２１Ｌと電極２３Ｌ間に互いに逆方向の電流を印加することで、Yaw回転方向の加速度感覚が提示される。加速度感覚の提示方向は、印加電流の正極側に誘起される。そして、電極２１Ｒと電極２２Ｒ間に、かつ電極２１Ｌと電極２２Ｌ間に同方向の電流を印加することで、上下方向の加速度感覚が提示される。
【００３３】
図４に示すように、刺激電流は、２種類あり、図４（ａ）は通常の刺激電流信号であり、図４（ｂ）は往復電流信号である。通常の刺激電流信号は、２ｓ（秒）のパルス幅を有する定電流（３mA）の電流信号Ｐ１である。往復電流信号は、２ｓ（秒）のパルス幅を有する定電流（３mA）の電流信号（刺激電流信号）Ｐ１１と、この刺激電流信号Ｐ１１の出力前に連続して乃至は隣接して出力される、逆極性で３ｓ（秒）のパルス幅を有する定電流（−３mA）の電流信号（事前電流信号）Ｐ１０とからなる。図４（ｂ）における往復電流信号の場合、逆極性の事前電流信号Ｐ１０の印加時間と電流レベルとの積が大きい程、順極性の刺激電流信号Ｐ１１印加時の加速度感覚が増強する。なお、事前電流信号の印加時間は、時間的な余裕に応じて長短設定することができる。同様に、刺激電流信号の印加時間も一定でなくてもよい。事前電流信号の印加時間を刺激電流信号の印加時間に比して少なくとも長く設定する態様では、加速度感覚の提示の増強が効果的に図れる。
【００３４】
次に、電流刺激による上下方向加速度感覚の提示に関する実験について説明する。
【００３５】
（１）上下方向ＧＶＳにおける定電流刺激と往復電流刺激とが主観的加速度感覚に及ぼす効果の検証
上下方向のＧＶＳが主観的な上下方向の加速度感覚を惹起するかどうかを検証するために、被検者に上下定電流刺激、上下往復電流刺激、左右刺激の３種類の刺激を印加した時の、被験者の加速度感覚（感じた力）の方向を回答させる実験を行った。
【００３６】
（１．１）実験方法
被験者は、前庭に病歴のない健常な成人男性５名（２３〜２５才)であった。大阪大学大学院情報科学研究科倫理審査委員会において承認された規定に基づき、全ての被験者から十分にインフォームドコンセントを得た上で参加してもらった。
【００３７】
実験は静かな実験室で行った。図２（ｃ）に示すように、エタノールで拭いた被験者の左右の乳様突起上に電極（クリアローデ、フクダ電子社製）を貼付し、イヤマフを用いて固定した。さらに乳様突起から直下約６cmの首上にも同電極を設置した。被験者には水平な床の上のマーカーにつま先を合わせて裸足でロンベルグ立位姿勢をとらせた。そして、正面にある注視点を注視した後、目を閉じさせて実験を行った。実験者の合図で電流の印加を開始した。
【００３８】
印加電流は電流値３mA、持続時間２０００msの上下定電流刺激と電流値３mAと持続時間２０００msの左右定電流刺激、逆電流値３mA、逆電流印加時間３０００ms、順方向電流の電流値３mA、持続時間２０００msの上下往復電流刺激の３種類とした。各刺激を極性を持たせて２試行ずつランダムに提示し、合計１２試行（＝３×２×２）行った。また、試行間には３分の休憩を入れた。
【００３９】
被験者は刺激が終了した時に、その刺激によって最も強く惹起された主観的な加速度感覚（感じた力）の方向を左右、前後、Yaw回転、上下の中から強制選択で回答させた。
【００４０】
（１．２）実験結果
図５は、刺激ごとの各方向に対する被験者の選択確率を示している。図５におけるerror barは、標準誤差を示しており、＊は、刺激ごとに方向の選択確率に対してKruskal-Wallis ANOVAとScheffeの多重比較検定を行った時の有意差のある箇所を示している（上下定電流刺激：F(3.16)=12.84, p<0.05、上下往復電流刺激：F(3.16)=16.8, p<0.05、左右刺激:F(3.16)=16.8, p<0.05）
図５から、上下往復電流刺激において、被験者は有意に高い確率で上下方向を選択しており、左右定電流刺激においては、有意に高い確率で左右を回答していることが分かる。上下定電流刺激においては、最も高い確率で選択されるのは上下方向であり、その確率は前後やYaw回転が選択される確率よりは有意に高いが、左右が選ばれる確率との間には、有意差は見られず、有意傾向（p<0.10）のみが見られた。
【００４１】
（２）上下方向ＧＶＳにおける定電流刺激と往復電流刺激が身体動揺に及ぼす効果
ＧＶＳによって生起される加速度感覚は電流と同じ方向であり、陽極側に体が傾く身体動揺が誘発される。このことから、先行研究においては、ＧＶＳによる提示加速度感覚の方向と強度についての客観的な評価指標として身体動揺が利用されている（非特許文献３、６、さらに、（ｉ）Omar S. Mian, Christopher J.Dakin, Jean-Sebastien Blouin, Richard C. Fitzpatrick and Brian L. Day：Lack of otolith involvement inbalance responses evoked by mastoid electrical stimulation；Journal of Physiology，588, 22, 4441-4451（2010）、（ｉｉ） Cathers, I., Day, B. L. & Fitzpatrick, R. C. : Otolith and canal reflexes in human standing;Journal of Physiology, Vol. 563, 229-234 (2005)、（ｉｉｉ） Mian, O. S., Dakin, C. J., Blouin,J. S., Fitzpatrick, R. C. & Day, B. L.: Lack of otolith involvement inbalance responses evoked by mastoid electrical stimulation; Journal ofPhysiology Vol. 588, 4441-4451 (2010)の各文献にも記載されている。）。
【００４２】
しかし、上下方向への加速度感覚が生起されたとしても、その加速度感覚のベクトルが身体の中心軸上にあるならば、通常の立位状態では、身体動揺は起こらないと考えられる。
【００４３】
ＧＶＳによって誘発される身体動揺は、前庭入力に対して人が立位を維持するための姿勢反射によるものと考えられる。中でも、Fitzpatrickらの研究グループは、ＧＶＳ時の頭部初期姿勢が、誘発される身体動揺方向に寄与することを示した（前記文献（ｉ），（ｉｉ），（ｉｉｉ））。これは、頭部姿勢が前庭入力に統合された上で姿勢反射が生じることを示唆している。すなわち、鉛直ではない頭部姿勢をとることで、従来は難しかった上下方向加速度提示時の身体動揺計測が可能になると考えられる。
【００４４】
そこで、図６に示すように、両足のつま先を揃えて立つロンベルグ立位姿勢と両足のつま先を揃えた上で、体と首を曲げて頭部を右側に９０°傾けた右傾き姿勢、体と首を曲げて頭部を９０°前に傾けた前傾き姿勢をとらせた被験者に対して定電流刺激と往復電流刺激によって、上下方向電流を印加した時の身体動揺を計測した。これによって、上下方向の加速度感覚を左右方向、あるいは前後方向への身体動揺として計測することができると考えられる。
【００４５】
一方で、右傾き姿勢において、左右方向に身体動揺を誘発しうるのは、上下方向の加速度感覚以外では、Roll方向の角加速度感覚を惹起された時である。このRoll方向の角加速度感覚を惹起する可能性のあるＧＶＳの刺激パターンは、乳様突起間に電流を印加する左右方向刺激（２極ＧＶＳ）のみである。また、前傾き姿勢において、上下方向への加速度感覚は、前後方向への身体動揺を誘発すると考えられる。この前傾き姿勢において、前後方向への身体動揺を誘発されるのは、前後Pitch方向の角加速度感覚が惹起された時であり、その方向の角加速度感覚を惹起する可能性のある刺激は前後方向刺激のみである。この左右方向刺激と前後方向刺激は、前庭器官のうち、耳石器と半規管の両方を刺激することで、RollあるいはPitch回転角加速度と左右あるいは前後方向の直線加速度の両方をそれぞれ惹起すると考えられる（前記文献（ｉ））。よって、本実験では上下方向刺激に加えて、左右刺激と前後刺激を行った時の、各姿勢における被験者の身体動揺を計測した。
【００４６】
（２．１）実験方法
被験者は前庭に病歴のない健常な成人男性５名（２３〜２５才）であった。大阪大学大学院情報科学研究科倫理審査委員会において承認された規定に基づき、全ての被験者から十分にインフォームドコンセントを得た上で参加してもらった。
【００４７】
実験は静かな実験室で行った。図２（ｃ）に示すように、エタノールで拭いた被験者の左右の乳様突起上に電極（クリアローデ、フクダ電子社製）を貼付しイヤマフを用いて固定した。さらに、乳様突起から直下約６cmの首上とこめかみにも同電極を設置した。３次元位置計測装置（Liberty, Polhemus社製）によって身体動揺を計測し、受信端をイヤマフ上に設置した。被験者には水平な床の上のマーカーにつま先を合わせて裸足でロンベルグ立位姿勢と、ロンベルグ立位姿勢をとった後、体と頭を右に傾け、頭部が９０°傾く様な姿勢（右傾き姿勢）、体と頭を前に傾け、頭部が９０°傾く様な姿勢（前傾き姿勢）をとらせた。そして、正面にある注視点を注視した後、目を閉じさせて実験を行った。各姿勢をとらせた後、実験者の合図で電流の印加を開始し、刺激終了の合図があるまでその姿勢を維持する様に被験者に指示した。
【００４８】
ここでは、上下往復電流刺激条件と上下定電流刺激条件、左右定電流刺激条件及び前後定電流刺激条件とを比較するが、往復電流は、逆電流区間においても身体動揺を引き起こす可能性が考えられる。そこで、被験者には、定電流刺激時には力を抜くように教示した。一方で往復電流刺激時では２つの刺激が連続して提示されることを予め伝えた上で、第一刺激では体を動かさないように姿勢を維持するよう指示し、第二刺激では力を抜くように教示した。
【００４９】
定電流刺激条件（上下定電流刺激、左右刺激、前後刺激）は、電流値３mA、電流印加時間２０００msの方形波電流とした。往復電流刺激条件は、逆電流値３mAの逆電流印加時間３０００msの方形波電流、順電流値３mAの順電流印加時間２０００msの方形波電流とした。
【００５０】
実験は、上下定電流刺激と上下往復電流刺激とを姿勢３条件（立位姿勢・右傾き姿勢・前傾き姿勢）に対して行い、左右方向定電流刺激は、立位条件と右傾き条件の姿勢２条件、前後方向定電流刺激は、立位条件と前傾き姿勢条件とに対して行い、各条件を極性を持たせて２試行の合計５６｛＝(３×２＋２×２＋２×２)×２×２｝試行を行った。実験は上下方向定電流刺激を提示するセッションと、上下方向往復電流刺激、左右定電流刺激（以降、左右方向刺激）を提示するセッション、前後定電流刺激（以降、前後方向刺激）を提示するセッション に分けて行った。また、試行間には３分の休憩を入れた。
【００５１】
計測は、刺激開始の１０００ms前から連続して３０００ms間、サンプリング周波数２００Hzにて行った。計測したデータは、５Hzのローパスフィルタ（LPF）をかけて高周波ノイズを除去した。
【００５２】
（２．２）実験結果
図７〜図１０は、世界座標系における各姿勢条件での各刺激印加時の頭部位置変化の俯瞰図と左右方向と前後方向の頭部移動量の時間変化を示している。俯瞰図には刺激開始１０００ms前から刺激終了後２０００msまでの頭部位置変化を２５０msごとにプロットし、時間変化の図には刺激開始１０００ms前から刺激終了後２０００msまでをプロットした。世界座標系とは、立位姿勢において被験者の正面を縦軸に、左右方向に横軸を取る座標系として定義した。初期姿勢は、それぞれ図７Ａ〜図１０Ａでは立位姿勢、図７Ｂ〜図９Ｂでは右傾き姿勢、図７Ｃ〜図８Ｃと図１０Ｂでは前傾き姿勢である。プロットの種別は、それぞれ刺激極性、刺激手法を示しており、黒プロットはそれぞれ下方向電流または右方向電流、後方向電流を示しており、白プロットはそれぞれ上方向電流または左方向電流、前方向電流を示している。上向き三角印は上下方向定電流条件を、丸印は上下方向往復電流条件を、右向き三角印は左右方向刺激条件を、四角印は前後方向刺激を示している。また、図７Ｄ〜図８Ｄと図９Ｃ〜図１０Ｃとは左右方向の頭部移動量（右方向が正）を示しており、図７Ｅ〜図８Ｅと図９Ｄ〜図１０Ｄとは前後方向の頭部移動量（前方向が正）を示している。これらの図において、細い実線は立位姿勢条件、太い実線は右傾き姿勢条件、破線は前傾き姿勢を示している。
【００５３】
図１１は、定電流刺激条件と往復電流刺激条件とにおける各試行の頭部の移動量の左右方向と前後方向それぞれの絶対値をとり、その最大値を平均化した結果を、姿勢条件ごとに示している。この図において、error barは標準誤差を示している。また、図１２に、上下往復電流刺激の各姿勢における身体動揺の絶対最大値の平均値を、図１３に、左右刺激の各姿勢における身体動揺の最大絶対値の平均値を、図１４に、前後刺激の各姿勢における身体動揺の最大絶対値の平均値を、それぞれ左右方向と前後方向ごとに示す。図中のerror barは標準誤差を示している。図１２以外の図における＊と†とは、それぞれWelchの検定による有意差と有意傾向のある箇所を示しており、図１２における＊は、立位条件を対照条件としたノンパラメトリックな２郡間比較検定手法であるSteelの検定による有意差のある箇所を示している。
【００５４】
図１１より、右傾き姿勢においても、前傾き姿勢においても、上下往復電流刺激によって誘発された身体動揺は上下定電流刺激によって誘発された身体動揺よりも大きいことが分かる（図１１、立位姿勢条件左右方向：t(34.5)=0.37, p>0.05、立位姿勢条件前後方向：t(30.0)= -1.71, p>0.05、右傾き姿勢条件左右方向：t(27.1)=2.27, p<0.05、右傾き姿勢条件前後方向：t(27.7)=2.60, p<0.05、前傾き姿勢条件左右方向：t(37.9)=1.70 p<0.10、前傾き姿勢条件前後方向：t(30.7)=3.18, p<0.05、Welchの検定）。
【００５５】
図１２から、上下往復電流刺激においては、右傾き姿勢では、左右方向への頭部移動量が大きく、前傾き姿勢では、前後方向への頭部移動量が大きいことが分かる（図１２、左右方向立位-右傾き：t(38) = -1.81, p<0.05、左右方向立位-前傾き：t(38)=-0.054, p>0.05、前後方向立位-右傾き：t(38) =-0.89, p>0.05、前後方向立位-前傾き：t(38)=-2.00, p<0.05、Steelの多重比較検定）。
【００５６】
図１３から、左右刺激条件においては、立位姿勢における左右方向の頭部移動量は右傾き姿勢における左右方向の頭部移動量よりも有意に大きいことが分かる（図１３、左右方向：t(23.2)=2.72，p<0.05、前後刺激：t(31.2)=0.16，p>0.05、Welchの検定）。
【００５７】
図１４から，前後刺激条件においては，立位姿勢における前後方向の頭部移動量は前傾き姿勢における前後方向の頭部移動量よりも有意に大きい事が分かる(図１４、左右方向：t(23.2)=2.72，p<0.05，前後刺激：t(27.4)=2.16，p<0.05，Welchの検定)。
【００５８】
（３）考察
（３．１）上下方向電流が惹起する加速度感覚の方向
図５より、上下方向電流刺激の時には、定電流刺激でも往復電流刺激でも上下方向の選択率が最も高かった。これは、上下刺激において、被験者は上下方向の加速度感覚を最も強く知覚しているということを示している。よって、上下方向電流は、上下方向の加速度感覚を強く惹起していることが示された。また、左右刺激においては、従来の知見どおり被験者は左右方向への加速度感覚を感じていることが示された。
【００５９】
図１１より、右傾き姿勢条件における左右方向と前後方向への身体動揺の絶対最大値の平均値を比較すると、上下方向往復電流刺激は、上下方向定電流刺激よりも有意に大きい身体動揺を誘発していることが分かる。よって、上下方向往復電流刺激は、上下方向定電流刺激よりも強力な加速度感覚を提示できていると言える。
【００６０】
図８Ａと図１２とから、立位条件においては左右、前後ともに上下往復電流刺激電流による身体動揺量は大きくなく、刺激極性による移動方向の変化はみられない。しかし、図８Ｂ、図８Ｄに示すように、右傾き姿勢における下方向電流往復電流刺激条件と上方向電流往復電流刺激条件とにおける頭部位置が、それぞれ右方向と左方向に移動している。さらに、図１２が示すように、体を右に傾ける姿勢における左右方向の身体動揺量は、立位条件における左右方向の身体動揺量よりも有意に大きい。また、図８Ｃ、図８Ｅに示すように、前傾き姿勢における下方向電流往復電流刺激条件と上方向電流往復電流刺激条件とおける頭部位置が、それぞれ前方向と後ろ方向に移動している。さらに、図１２に示すように、前傾き姿勢における前後方向の身体動揺量は、立位条件における前後方向の身体動揺量よりも有意に大きい。よって、上下方向往復電流刺激は、立位姿勢をとった時にはほぼ身体動揺を誘発せず、右傾き姿勢をとった時に左右方向への身体動揺を誘発し、前傾き姿勢をとった時に前後方向への身体動揺を誘発するような方向の加速度感覚を惹起していることが示された。
【００６１】
一方で，図９と図１３とから、左右刺激は、立位姿勢条件において非常に大きな左右方向への身体動揺を惹起しているが、体を右に傾けるとその身体動揺は小さくなることが分かる。さらに、図１０と図１４とから、前後刺激は、立位姿勢条件において大きな前後方向への身体動揺を惹起するが、前傾き姿勢条件においては、その身体動揺は小さいことが分かる。
【００６２】
これらのことから、上下方向往復電流刺激が惹起する加速度感覚の方向を考える。右傾き姿勢において、上下往復電流刺激によって誘発される身体動揺の方向は、図８Ｂと図１２とから、左右方向である。この右傾き姿勢において左右方向への身体動揺を誘発する加速度感覚の方向は、上下方向かRoll回転方向かが考えられる。Roll回転方向の加速度感覚を惹起しうる刺激として左右刺激が挙げられるが、この左右刺激によって誘発される身体動揺は、図９、図１３より、立位姿勢の条件において、右傾き姿勢の時よりも大きい。一方で、上下方向往復電流刺激は、立位姿勢時には左右方向の身体動揺は見られないが、右傾き姿勢においては左右方向の身体動揺が見られる。よって、上下方向往復電流刺激は、Roll回転方向の加速度感覚を惹起しているのではなく、上下方向の加速度感覚を惹起していると考えられる。同様に、前傾き姿勢においては、上下方向往復電流刺激が誘発する身体動揺は前後方向である。前傾き姿勢において、前後方向の身体動揺を誘発する加速度感覚は、Pitch方向の角加速度であり、このPitch方向の角加速度を惹起しうる刺激は前後刺激である。前後刺激によって誘発される身体動揺は、図１０、図１４より、立位姿勢条件における前後方向の身体動揺が、前傾き姿勢における前後方向の身体動揺よりも有意に大きい。このことから、上下往復電流刺激は、前後刺激とは異なる加速度感覚を惹起していることが示され、その加速度感覚の方向はPitch方向ではないと考えられる。これらのことから、上下方向往復電流刺激は、従来のＧＶＳ手法では提示できていなかった方向の加速度感覚を惹起しており、その方向は上下方向であると考えられる。
図１１から、右傾き姿勢における上下方向往復電流刺激が誘発する前後方向の身体動揺は上下方向定電流が誘発する前後方向の身体動揺よりも有意に大きいことが分かる。また、図１２から、有意差は無いが、上下方向往復電流刺激が誘発する右傾き姿勢における前後方向の身体動揺は、立位姿勢おける前後方向の身体動揺よりも大きいことが分かる。
【００６３】
本実験は、安全な電流値である３mAを刺激電流として利用した。よって、身体動揺として数センチメートル（cm）程度の動揺を引き起こすだけの微弱な加速度であるが、上下方向への往復電流刺激はＧＶＳの安全ガイドラインにおいて確実に安全とされている電流値で、従来提示ができなかった上下方向への加速度感覚を提示と、身体反射応答の誘発が可能であることとが示された。
【００６４】
（３．２）姿勢条件が身体動揺に及ぼす影響
以上では、３つの姿勢を被験者にとらせた時の身体動揺を計測することで、ＧＶＳの惹起する加速度感覚の方向を調査した。各姿勢を被験者にとらせた時の姿勢が身体動揺に及ぼす影響を見るために、被験者５名に３つの姿勢条件をとらせ、刺激を提示しなかった時の身体動揺の時間変化（各姿勢、各被験者４試行分）の俯瞰図と各方向への身体動揺の時間変化、身体動揺の絶対最大値の平均値を図１５に示した。図１５から、ＧＶＳ提示を行わない条件は、ＧＶＳ提示を行った時と比較して身体動揺が非常に小さいことが分かる。また、図１５Ｃにおいて、前傾き姿勢における前後方向の頭部移動量が、立位姿勢におけるそれよりも有意に小さかった（F(2.57)=7.98, p<0.05）。このことから、立位姿勢に比べて、前傾き姿勢は、前後方向の身体動揺が惹起されにくい姿勢であるといえる。この姿勢において、上下往復電流刺激が前後方向の身体動揺を誘発したことは、上下往復電流刺激が、上下方向の加速度感覚を惹起していることを支持している。
【００６５】
（３．３）経路仮説に対する考察
解剖学的知見から、頭部内の電流経路は、頭蓋骨の穴によって形成されると仮定し、その穴の位置関係を調査した。その知見を用いて、前庭に上下方向の方向成分を持った電流を印加することで、上下方向への加速度感覚提示が可能な電極の配置を行った。
【００６６】
（４）結論
上下方向への加速度感覚提示を目指して、頭部内の電流経路を考慮し、前庭に上下方向の電流を流すことが可能な電極配置として、乳様突起上と、その電極から約６cm直下の首上、すなわち胸鎖乳突筋及び肩甲拳筋の皮膚方向に直上となる皮膚の位置に電極を設置する電極配置を提案した。さらに、この電極配置においてＧＶＳの安全ガイドラインに沿った電流値で強力な加速度感覚提示を実現するために、ＧＶＳによって惹起される加速度感覚の増強と誘発される身体動揺の増大効果があることが示されている往復電流刺激方を採用した。その結果、従来、加速度感覚提示ができなかった上下方向への加速度感覚の生起を実験的に確認した。
【００６７】
これによって、安全とされている電流値範囲においても提示可能となった上下方向加速度感覚提示は、ゲームやシミュレータ等において画像（映像）の動き等に、多自由度な加速度感覚を付加することを可能とするため、自身がその環境にいる場合と近い感覚情報を提示することによる高い臨場感を持ったＶＲ（Virtual Reality）環境が構築できる。
【００６８】
図１６は、前庭電気刺激装置の一適用例を示す仮想現実（ＶＲ）体感装置の構成図である。図１６では仮想現実体感装置１００としてゲーム装置を想定している。仮想現実体感装置１００は、前庭電気刺激装置１と、制御部１１０、記憶部１２０、操作部１３０及びモニタ１４０を備えている。記憶部１２０は、ゲームプログラムを記憶するメモリエリア及び処理内容を一時的に記憶するワークエリアを有する。操作部１３０は、ゲームに登場する主キャラクタの動きを支持するコントローラである。ゲームとしては、例えば主キャラクタがハングライダーで飛行して目的地に着陸するものでよい。より詳細には、飛行空間内で、予め設定された風発生プログラム等に従って、絶えず変化するような風が仮想的に吹いており、その中を主キャラクタがハングライダーを仮想的に操作しながら飛行して最終的に降下する操作を楽しむものである。風が、左右、前後、上下方向の内の少なくとも上下方向から吹き付けることで主キャラクタに少なくとも上下方向の加速度を体感させ、臨場感を醸し出すものである。
【００６９】
制御部１１０は、ゲームプログラムを実行することで、表示制御部１１１、ゲーム進行制御部１１２及び主キャラクタ加速度算出部１１３として機能する。ゲーム進行制御部１１２は、ゲーム空間内で風を吹かせ、かつハングライダーと風の強さ情報及び方向情報を経時方向に生成して、ハングラダーを飛行させ、かつ操作部１３０からの方向指示情報を利用してハングライダーの飛行状況を制御する。表示制御部１１１は、ゲーム進行制御部１１２で生成される飛行状況のゲーム情報から表示空間に表示する画像を形成し、モニタ１４０に出力して表示する。主キャラクタ加速度算出部１１３は、前述した風発生プログラムによって生成される風力及び風向情報を利用して、主キャラクタに体感される加速度情報を便宜的に算出し、例えば加速度が発生したと判断されると、加速度の有無と方向の情報を前庭電気刺激装置１に出力する。
【００７０】
前庭電気刺激装置１の部分は、制御部３で処理される情報に従って、例えば電極２１Ｒと電極２２Ｒとの間、かつ電極２１Ｌと電極２２Ｌとの間に同方向の往復電流（図４（ｂ）参照）を出力する。例えば、下方向への加速度を体感させる場合には、電極２１を正極とし、上方向への加速度を体感させる場合には、電極２２側を正極とすればよい。なお、その他の方向に対して加速度を体感させる態様では、図４（ｂ）の往復電流信号を適用してもよいが、充分な提示レベルが得られる場合等には、対応する電極間に刺激電流（図４（ａ）参照）を印加するように使い分けてもよい。なお、主キャラクタ加速度算出部１１３は、風力の大小に応じた加速度を算出し、制御部３は算出された加速度情報に対応した（安全レベルを超えない範囲の）レベルの電流値を電極に印加する態様としてもよい。このように動画画像と同期して加速度感覚提示を利用者に付与することで、簡易な構成で、高い臨場感を有する装置が提供可能となる。
【００７１】
なお、本実施形態では、アミューズメント用のゲーム装置としたが、操作部１３０の有無に関わらず、ハングライダーシミュレーション装置であってもよい。また、ゲーム及びシミュレータの種類は、ハングライダーに限定されず、フライトシュミレータをはじめ、少なくとも上下方向の加速度成分を含み、この加速度感覚を利用者に提示し、身体動揺を惹起させるものであれば適用可能である。この場合、モニタ１４０は頭部に装着し、目前に画像を表示可能にするゴーグルタイプでもよい。さらに、前庭電気刺激装置１は、前庭系の異常を検査するための医療検査ツールとして、また認知科学分野の研究に利用することができる。
【符号の説明】
【００７２】
１  前庭電気刺激装置
１１  ヘッドセット
２１，２１Ｒ，２１Ｌ  電極（第１電極）
２２，２２Ｒ，２２Ｌ  電極（第２電極）
２３，２３Ｒ，２３Ｌ  電極
４  回路部（電流出力部）
４１  刺激電流生成回路
１００  仮想現実体感装置
１１３  主キャラクタ加速度算出部
Ｐ１、Ｐ１１  刺激電流信号
Ｐ１０  事前電流信号
【図１】
0006653500.tif 000002
【図２】
0006653500.tif 000003
【図３】
0006653500.tif 000004
【図４】
0006653500.tif 000005
【図５】
0006653500.tif 000006
【図６】
0006653500.tif 000007
【図７】
0006653500.tif 000008
【図８】
0006653500.tif 000009
【図９】
0006653500.tif 000010
【図１０】
0006653500.tif 000011
【図１１】
0006653500.tif 000012
【図１２】
0006653500.tif 000013
【図１３】
0006653500.tif 000014
【図１４】
0006653500.tif 000015
【図１５】
0006653500.tif 000016
【図１６】
0006653500.tif 000017